(57)【特許請求の範囲】
【請求項１】
液透過性のトップシートと液保持性の吸収体と液不透過性のバックシートとを具備し、腹側部、背側部及び股下部が形成されており、腹側部の左右両側縁と背側部の左右両側縁とをそれぞれ接合固定して左右一対の接合部が形成されているパンツ型の使い捨ておむつにおいて、
上記腹側部の幅は、上記背側部の幅よりも広くなされており、
上記腹側部の幅と上記背側部の幅との比が１．２５〜２．０であり且つ上記背側部の幅と上記股下部の幅との比が１．０〜３．０であり、
一対の上記接合部が、着用者の背側よりに位置するようになされている、
ことを特徴とするパンツ型の使い捨ておむつ。
【発明の詳細な説明】
【０００１】
【発明の属する技術分野】
本発明は、装着感に優れたパンツ型の使い捨ておむつに関する。
【０００２】
【従来の技術及び発明が解決しようとする課題】
従来より、パンツ型の使い捨ておむつとしては、液透過性のトップシートと液保持性の吸収体と液不透過性のバックシートとを具備し、腹側部、股下部及び背側部が形成されており、腹側部の左右両側縁と背側の左右両側縁とを接合固定してなるものが汎用されている。
しかし、上述のパンツ型の使い捨ておむつは、上記接合固定による接合部が着用者のほぼ中心部（体の前後方向に対する中心部）に位置していたため、着用者の動作の度に、該接合部の下端部と着用者の体との当接部が擦れてしまい、着用者の肌を傷つけるなど、その装着性に問題があった。
【０００３】
従って、本発明の目的は、接合部と着用者の体との当接部が擦れて着用者に不快感を与えることが少なく、装着感に優れたパンツ型の使い捨ておむつを提供することにある。
【０００４】
【課題を解決するための手段】
本発明者等は、上記課題を解消するために鋭意検討した結果、接合部が背側に形成されてなるパンツ型の使い捨ておむつが上記目的を達成しうることを知見した。
【０００５】
本発明は、上記知見に基づいてなされたもので、液透過性のトップシートと液保持性の吸収体と液不透過性のバックシートとを具備し、腹側部、背側部及び股下部が形成されており、腹側部の左右両側縁と背側部の左右両側縁とをそれぞれ接合固定して左右一対の接合部が形成されているパンツ型の使い捨ておむつにおいて、上記腹側部の幅は、上記背側部の幅よりも広くなされており、上記腹側部の幅と上記背側部の幅との比が１．２５〜２．０であり且つ上記背側部の幅と上記股下部の幅との比が１．０〜３．０であり、一対の上記接合部が、着用者の背側よりに位置するようになされている、ことを特徴とするパンツ型の使い捨ておむつを提供するものである。
【０００６】
【発明の実施の形態】
以下、図面を参照して本発明を更に詳細に説明する。
ここで、図１は、本発明のパンツ型の使い捨ておむつを示す展開図であり、図２は、図１に示すパンツ型の使い捨ておむつを着用した状態を示す正面図であり、図３は、その側面図である。
【０００７】
本実施例のパンツ型の使い捨ておむつ１は、図１に示すように液透過性のトップシート２と液保持性の吸収体４と液不透過性のバックシート３とを具備し（図３参照）、腹側部１０、背側部２０及び股下部３０が形成されており、腹側部１０の左右両側縁１１，１２と背側部２０の左右両側縁２１，２２とをそれぞれ接合固定して左右一対の接合部４０（図２及び３参照）が形成されている。このような構成は、通常公知のパンツ型の使い捨ておむつと同じである。
【０００８】
更に詳述すると、本実施例の使い捨ておむつ１は、その股下部３０が括れた形状に且つ腹側部側が剔れた形状に形成されており、上記吸収体４は、腹側部側が小さく、背側部側が大きく形成されている。また、接合によりウエスト開口部を形成するウエスト部５と、レッグ開口部を形成するレッグ部６とには、ギャザーを形成するための弾性部材７、８が、それぞれ設けられている。
尚、上記トップシート２、バックシート３、吸収体４及び弾性部材７、８の形成材料としては、通常パンツ型使い捨ておむつに用いられるものを特に制限なく用いることができる。
また、上記接合は、通常のヒートシール等により行うことができる。
【０００９】
而して、本実施例のパンツ型の使い捨ておむつ１は、上記腹側部１０の幅ｌが、上記背側部２０の幅ｎよりも広くなされており、一対の上記接合部４０が、着用者の背側よりに位置するようになされている。
【００１０】
ここで、上記の「背側より」とは、図３に示す体の前後方向に対する中心線（一点鎖線で示す線）よりも背側（後ろ側）にあることを意味する。
【００１１】
また、上記腹側部１０の幅ｌと、上記背側部２０の幅ｎとの比ｌ／ｎは、１．２５〜２．０であるのが好ましい。１．２５未満であると、着用中に激しく動いたときに接合部と着用者の体との当接部が擦れて不快感を与えることがあり、２．０を超えると、接合部がおしりの方まで寄って吸収体上に存在するため、サイドシール本来の機能が損なわれたり、引き裂いたときに吸収体も同時に裂けないように吸収体の幅を狭くする必要が生じ、このように幅を狭くすると吸収性能を損ねる恐れがあるので、上記範囲内とするのが好ましい。
また、上記背側部２０の幅ｎは、上記股下部３０の幅ｍ（股下部の中でも最も幅が狭い箇所における幅）よりも広いのが好ましく、具体的には、上記背側部２０の幅ｎと上記股下部３０の幅ｍとの比ｎ／ｍは、１．０〜３．０であるのが好ましい。
【００１２】
本実施例の使い捨ておむつ１は、上述のような構成を有しているので、着用者が激しく動いても接合部４０が着用者の体と擦れにくい。従って、該接合部４０により着用者の肌を傷つけたりして着用者に不快感を与える恐れが少なく、装着感に優れている。
【００１３】
次に、図４を参照して、本形態の使い捨ておむつの製造法について説明する。
ここで、図４は、本発明の使い捨ておむつの製造過程を示す平面図である。
本形態の使い捨ておむつを製造するには、バックシートの連続シート（図示せず）上の所定位置に吸収体４及び弾性部材７，８を載置した後、トップシートの連続シート（図示せず）を当接させて、図４に示す、おむつの連続シート１’を作成する。この際、吸収体４は、小さく形成された部分と大きく形成された部分、即ち、腹側に位置する部分と背側に位置する部分とが、連続シートの長手方向に対して交互に位置するように載置し、更に載置された吸収体の括れた部分に沿って、弾性部材８を載置する。
そして、該連続シート１’を、図４に示すように、所定形状に切り抜いて、切抜部５０を形成した後、更に所定箇所５０’で切断することにより、連続的におむつを得ることができる。
【００１４】
次に、図５及び図６を参照して、本発明のパンツ型の使い捨ておむつの他の形態について説明する。
ここで、図５は、本発明の他の形態のパンツ型の使い捨ておむつにおける着用状態を示す側面図であり、図６は、本発明の更に他の形態のパンツ型の使い捨ておむつにおける着用状態を示す側面図である。
尚、特に詳述しない点については、上述した図１〜３に示す形態の使い捨ておむつにおいてした説明が適宜適用される。
【００１５】
図５に示す形態のパンツ型の使い捨ておむつ１は、接合部４０が、着用者の体の上下方向に対して、斜めになるようになされており、接合部端部４０ａが背側に位置するようになされている。
図６に示す形態のパンツ型の使い捨ておむつ１は、接合部４０が湾曲形状を有するようになされている。また、湾曲形状の頂部４０ｂ，４０ｃ及び４０ｄには、左右の接合部を連結するように、各頂部間にそれぞれ、弾性部材７’’，７’，７が配されている。即ち、頂部４０ｂは、背側部側に向けて湾曲しており、弾性部材７’’は、背側部にのみ設けられている。また、頂部４０ｃは、腹側部側に向けて湾曲しており、弾性部材７’は、腹側部にのみ設けられている。更に、頂部４０ｄは、背側部側に向けて湾曲しており、弾性部材７は、背側部にのみ設けられている。そして、接合部端部４０ａ及び４０ｅが背側に位置するようになされている。
【００１６】
図５及び図６に示す形態の使い捨ておむつのように、本発明において「上記腹側部の幅は、上記背側部の幅よりも広くなされており、一対の上記接合部が、着用者の背側よりに位置するようになされている」とは、該接合部の全てがこのような位置にあることを必要とするものではなく、少なくとも、おむつの下側の接合部端部４０ａにおいて、腹側部の方が背側部よりも大きくなされており、該接合部端部４０ａが背側部よりに位置していれば良い。
【００１７】
尚、本発明は、上述の実施例に限定されるものではなく、本発明の趣旨を逸脱しない範囲で種々変更が可能である。
【００１８】
【発明の効果】
本発明のパンツ型の使い捨ておむつは、接合部と着用者の体との当接部が擦れて着用者に不快感を与えことが少なく、装着感に優れたものである。
【図面の簡単な説明】
【図１】図１は、本発明のパンツ型の使い捨ておむつを示す展開図である。
【図２】図２は、図１に示すパンツ型の使い捨ておむつを着用した状態を示す正面図である。
【図３】図３は、図１に示すパンツ型の使い捨ておむつを着用した状態を示す側面図である。
【図４】図４は、本発明の使い捨ておむつの製造過程を示す平面図である。
【図５】図５は、本発明の他の形態のパンツ型の使い捨ておむつにおける着用状態を示す側面図である。
【図６】図６は、本発明の更に他の形態のパンツ型の使い捨ておむつにおける着用状態を示す側面図である。
【符号の説明】
１  パンツ型の使い捨ておむつ
２  トップシート
３  バックシート
４  吸収体
１０  腹側部
２０  背側部
３０  股下部
【図１】
0003712286.tif 000002
【図２】
0003712286.tif 000003
【図３】
0003712286.tif 000004
【図４】
0003712286.tif 000005
【図５】
0003712286.tif 000006
【図６】
0003712286.tif 000007